(57)【要約】【課題】優れた把持性及び美観性を有し、特殊な材質を必要とせず、しかも容易に作製し得る、箸置きが不要な箸を提供する。【解決手段】箸１は、上端４から中間点５までの頭部２と、中間点５から下端６までの箸先部３とからなる。頭部２は、箸１の軸線７の任意の地点で垂直に切断した場合の断面形状が正多角形（例えば、正五角形）または円形でありかつ上端４から中間点５まで当該断面形状の面積が漸減する立体形状８に対して、上端４の端面１０から中間点５の側面までに亘って平面状に切断して当該側面の側の部分を切り落として、載置用の平面９を形成させたような形状を有する。箸１は、載置用の平面９を、食卓等の平坦な面上に載置した場合に、該平坦な面と、箸１の下端６の間に、３ｍｍ以上の高さの空隙が形成されるものである。【選択図】図１
0003136973.tif 000002
【実用新案登録請求の範囲】
【請求項１】
上端から中間点までの頭部と、該中間点から下端までの箸先部とからなる箸であって、
上記頭部は、箸の軸線の任意の地点で垂直に切断した場合の断面形状が正多角形または円形でありかつ上記の上端から中間点まで当該断面形状の面積が漸減する立体形状に対して、上記の上端の端面から上記の中間点の側面まで平面状に切断して当該側面の側の部分を切り落として、箸載置用の平面を形成させたような形状を有し、
上記箸先部は、上記の中間点から下端まで、上記頭部の上記立体形状の輪郭を延長してなる直線状の輪郭を有し、
上記頭部の箸載置用の平面を、平坦な面上に載置した場合に、該平坦な面と、箸の下端の間に、３ｍｍ以上の高さの空隙が形成された状態で安定して静止するように構成してなることを特徴とする箸。
【請求項２】
上記頭部の箸載置用の平面を、平坦な面上に載置した場合に、該平坦な面と、箸の間に、箸の軸線方向に８０ｍｍ以上の長さの空隙が形成されるように構成してなる請求項１に記載の箸
【請求項３】
「頭部の長さ／箸の長さ」の比が、０．３５〜０．５５である請求項１又は２に記載の箸。
【請求項４】
木材、金属、及び合成樹脂からなる群より選ばれる１種の材質のみからなる請求項１〜３のいずれか１項に記載の箸。
【請求項５】
上記頭部における上記立体形状の断面形状が正五角形であり、かつ、上記箸先部が、上記の中間点から下端までに亘って、上記頭部の上記立体形状と連続的に形成された正五角形の断面形状を有する請求項１〜４のいずれか１項に記載の箸。
【請求項６】
上記頭部における上記立体形状の断面形状が、正方形であり、かつ、上記箸先部が、上記の中間点から下端までに亘って、少なくとも４つの平面状の側面を有する請求項１〜４のいずれか１項に記載の箸。
【考案の詳細な説明】
【技術分野】
【０００１】
本考案は、箸に関する。
【背景技術】
【０００２】
箸は、通常、上端から下端（箸先）までに亘る直線状の輪郭を有している。それゆえ、食卓の上に直接、箸を載置すると、食卓の面に箸先が接触し、不衛生なことがある。これを避けるために、箸置きを使用することができるものの、一般の家庭等においては、煩雑さなどから、箸置きを使用しないことが多い。
このような事情下において、箸置きを使用しなくても、食卓の上に箸先を接触させずに載置することのできる箸が、提案されている。
一例として、長さの中央部の断面を円形とし、片側をその円形を底とする先の細くなる円錐形とし、反対側は中央断面の円の直径を辺とする四角で、末端がやや細くなる四角錐に削ったことを特徴とする箸置きの要らない箸が、提案されている（特許文献１）。
他の例として、箸の頭部を重くして、テーブルのような平らな面に置いた時に頭部の重さで箸の先端が持ち上がり、箸置を使わなくても箸の先端部がテーブルの汚れなどで汚れないようにした箸が、提案されている（特許文献２）。この箸は、箸の長さの中心部よりも箸の頭部側に箸の膨大部を設け、この膨大部より箸の頭部側に錘を取り付けたものである。
さらに他の例として、基部と先端部との中間部分に突起部を一体的に形成したことを特徴とする箸が、提案されている（特許文献３）。
【特許文献１】実開平７−３６８４７号公報
【特許文献２】特開平７−１９４４７３号公報
【特許文献３】実開平５−２１７７２号公報
【考案の開示】
【考案が解決しようとする課題】
【０００３】
特許文献１に記載された箸は、長さの中央部が最も大径となるように形成されているため、上端から下端（箸先）まで断面積が漸減する通常の箸の形態と比べて、箸の使用者によって把持しづらく、また、把持されている状態において安定性が劣るという問題がある。
特許文献２に記載された箸は、箸の本体を構成する材質と比べて非常に大きな比重を有する材質からなる錘を取り付ける必要がある。錘の比重が非常に大きくなければ、箸の先端を持ち上げることはできないと考えられる。
特許文献３に記載された箸は、突起部を有するため、美観性に劣るという問題がある。
このように、従来提案されている箸置きが不要な箸は、把持しづらかったり、箸本体の材質とは別の特殊な材質が必要であったり、あるいは、美観性に劣るなどの問題があった。
そこで、本考案は、優れた把持性及び美観性を有し、特殊な材質を必要とせず、しかも容易に作製し得る、箸置きが不要な箸を提供することを目的とする。
【課題を解決するための手段】
【０００４】
本考案者は、上記課題を解決するために鋭意検討した結果、突起部の如き美観性を損ねるものを設けなくても、箸の形状を特定のものに定めれば、上記の目的を達成し得ることを見出し、本考案を完成した。
本考案は、以下の［１］〜［６］を提供するものである。
［１］  上端から中間点までの頭部と、該中間点から下端までの箸先部とからなる箸であって、上記頭部は、箸の軸線の任意の地点で垂直に切断した場合の断面形状が正多角形または円形でありかつ上記の上端から中間点まで当該断面形状の面積が漸減する立体形状に対して、上記の上端の端面から上記の中間点の側面まで平面状に切断して当該側面の側の部分を切り落として、箸載置用の平面を形成させたような形状を有し、上記箸先部は、上記の中間点から下端まで、上記頭部の上記立体形状の輪郭を延長してなる直線状の輪郭を有し、上記頭部の箸載置用の平面を、平坦な面上に載置した場合に、該平坦な面と、箸の下端の間に、３ｍｍ以上の高さの空隙が形成された状態で安定して静止するように構成してなることを特徴とする箸。
【０００５】
［２］  上記頭部の箸載置用の平面を、平坦な面上に載置した場合に、該平坦な面と、箸の間に、箸の軸線方向に８０ｍｍ以上の長さの空隙が形成されるように構成してなる請求項１に記載の箸
［３］  「頭部の長さ／箸の長さ」の比が、０．３５〜０．５５である上記［１］又は［２］に記載の箸。
［４］  木材、金属、及び合成樹脂からなる群より選ばれる１種の材質のみからなる上記［１］〜［３］のいずれかに記載の箸。
［５］  上記頭部における上記立体形状の断面形状が正五角形であり、かつ、上記箸先部が、上記の中間点から下端までに亘って、上記頭部の上記立体形状と連続的に形成された正五角形の断面形状を有する上記［１］〜［４］のいずれかに記載の箸。
［６］  上記頭部における上記立体形状の断面形状が、正方形であり、かつ、上記箸先部が、上記の中間点から下端までに亘って、少なくとも４つの平面状の側面を有する上記［１］〜［４］のいずれかに記載の箸。
【考案の効果】
【０００６】
本考案の箸は、特定の形状を有するため、箸置きを用いなくても、食卓等の面に箸先を接触させずに、当該食卓等の面上に安定して載置することができる。
本考案の箸は、上端から中間点まで断面形状の面積が漸減する立体形状に対して部分的に切り落としてなる形状を備えているため、通常の箸と同様に、上端に近いほど大径であり、箸を持つ者が把持し易いという利点がある。
本考案の箸は、突起のない特定の形状を有するため、突起を設けて箸先を持ち上げるようにした従来技術と比べて、美観性に優れている。
本考案の箸は、従来と異なる特定の形状に形成することによって箸先を持ち上げるものであるため、特定の部分（例えば、上端部分）に特殊な材質（例えば、非常に大きな比重を有する金属）を用いるなどの技術も必要とせず、単一の材質（例えば、木材）のみで作製することができる。
本考案の箸は、直線状の切削のみで作製することができるなど、容易にかつ迅速に作製することができる。
【考案を実施するための最良の形態】
【０００７】
以下、本考案の箸の実施の形態の例を、図面を参照しつつ説明する。図１は、本考案の箸の一例を示す正面図、図２は、図１に示す箸の左側面図、図３は、図１に示す箸を平坦な面上に載置した状態を示す図、図４は、本考案の箸の他の例を、図２に対応させて示す左側面図である。
図１〜図３中、箸１は、上端４から中間点５までの頭部２と、中間点５から下端６までの箸先部３とが連続的かつ一体的に形成されてなる。
箸１の長さは、特に限定されないが、通常、２１０〜２３０ｍｍである。
頭部２は、箸の軸線７の任意の地点で垂直に切断した場合の断面形状が正五角形でありかつ上端４から中間点５まで当該正五角形の断面形状の面積が漸減する立体形状８（図１及び図２中、点線の部分を輪郭として含む形状）に対して、上端の端面１０から中間点５の側面まで平面状に切断して当該側面の側の部分を切り落として、箸載置用の平面９を形成させたような形状を有する。
ここで、立体形状８の断面形状としては、正五角形以外の正多角形（例えば、正方形、正六角形、正八角形など）または円形としてもよい。
なお、本明細書において、正多角形の形状は、点と直線のみからなる正確な正多角形に限らず、頂点の部分を丸くしたもの（図４参照）も含む。
【０００８】
箸先部３は、中間点５から下端６まで、頭部２の立体形状８の輪郭を延長してなる直線状の輪郭を有する。したがって、箸先部３は、直線状の軸線７に対して略放射対称の断面形状を有する。
「頭部２の長さＬ１／箸１の長さＬ」の比は、好ましくは０．３５〜０．５５、より好ましくは０．３７〜０．５３、特に好ましくは０．３９〜０．５１である。
該比が０．３５未満では、箸載置用の平面９を、平坦な面２０上に載置した場合（図３参照）に、中間点９を支点として、箸１が時計の回転方向に回転して、下端６が平坦な面２０上に当接する場合がある。該比が０．５５を超えると、箸載置用の平面９を、平坦な面２０上に載置した場合に、平坦な面２０と、箸１の下端６の間に、十分な高さ（例えば、３ｍｍ以上）の空隙を形成することが困難な場合がある。
なお、図１中のＬ２は、箸先部３の長さを表わす。Ｌ＝Ｌ１＋Ｌ２の関係がある。
【０００９】
箸１は、図３に示すように、箸載置用の平面８を、平坦な面２０上に載置した場合に、食卓等の平坦な面２０と、箸１の下端６の間に、３ｍｍ以上の高さ（図３中、符号Ｈで示す。）の空隙が形成された状態で安定して静止するように構成されている。
ここで、図３中の高さＨは、平坦な面２０と、箸１の下端６の最下点（換言すれば、下端６を形成する端面の最下点）の間の距離である。
高さＨは、３ｍｍ以上、好ましくは４ｍｍ以上、より好ましくは５ｍｍ以上である。
高さＨの上限値は、特に限定されないが、通常、７ｍｍ以下である。
箸１は、箸載置用の平面９を、食卓等の平坦な面２０上に載置した場合に、平坦な面２０と箸１の間に、軸線７の延びる方向（換言すれば、箸１の長手方向）に８０ｍｍ以上の長さの空隙が形成されるように構成することが望ましい。
ここで、当該空隙の長さは、好ましくは８０ｍｍ以上、より好ましくは９０ｍｍ以上、特に好ましくは１００ｍｍ以上である。
なお、当該空隙の長さは、箸先部３の長さＬ２と同じである。
箸１の材質としては、例えば、木材、金属、合成樹脂等が挙げられる。箸１の材質は、１種のみでよい。なお、ここでの材質とは、箸１の本体の材質を意味するものであり、箸１の外面に塗布される塗料等は、箸１の材質に含まれないものとする。
【００１０】
箸先部３は、中間点５から下端６までに亘って、頭部２の立体形状８と連続的に形成された正五角形の断面形状を有する。
なお、頭部２の立体形状８が正五角形以外の正方形（例えば、正方形、正六角形、正八角形など）または円形である場合、立体形状８の形状に合わせて、箸先部３の断面形状を正五角形以外の正方形（例えば、正方形、正六角形、正八角形など）または円形にすることは、箸１の製作の容易性や、美観性等から好ましい。
ただし、本発明において、箸先部３の断面形状を、頭部２の立体形状８の断面形状とは異なるものにすることは、可能である。
例えば、図４に示す箸は、図１に示す正五角形の断面形状に代えて、正方形の断面形状を採用した例である。符号３０は、箸の上端の端面を示す。符号３１は、断面形状が略正方形である立体形状（点線を含むもの）を示す。符号３２は、符号３１で示す立体形状中の点線部分を切り落として形成させた箸載置用の平面を示す。
図４に示す頭部を有する場合、箸先部３（図１参照）は、中間点５から下端６までに亘って、正方形の断面形状を有するように形成させてもよいし、あるいは、他の断面形状（例えば、正五角形の断面形状）を有するように形成させてもよい。
前述の図面に基づく説明中の数値範囲等は、他の実施形態についても同様である。
【実施例】
【００１１】
［実施例１］
図１〜図３に示す、頭部２の立体形状８の断面形状が正五角形であり、かつ箸先部３の断面形状が正五角形である箸であって、箸の全長Ｌが２２０ｍｍ、頭部２の長さＬ１が９０ｍｍ（Ｌ１／Ｌの比：０．４１）、箸先部３の長さＬ２が１３０ｍｍである木製の箸を作製した。
この箸の箸載置用の平面９を平坦な面２０に載置したところ、平坦な面２０と箸の下端６の間の空隙の高さは、５ｍｍであった。また、箸は、この状態で安定して静止し、傾くことがなかった。
【００１２】
［実施例２］
図１、図３、図４に示す、頭部２の立体形状８の断面形状が略正方形であり、かつ箸先部３の断面形状が正五角形（ただし、頭部２０との境界に近い部分については、切削面の数を多くして丸みを帯びた外形とした。）である箸であって、箸の全長Ｌが２２０ｍｍ、頭部２の長さＬ１が１０８ｍｍ（Ｌ１／Ｌの比：０．４９）、箸先部３の長さＬ２が１１２ｍｍである木製の箸を作製した。
この箸の箸載置用の平面９を平坦な面２０に載置したところ、平坦な面２０と箸の下端６の間の空隙の高さは、５ｍｍであった。また、箸は、この状態で安定して静止し、傾くことがなかった。
【図面の簡単な説明】
【００１３】
【図１】本考案の本考案の箸の一例を示す正面図である。
【図２】図１に示す箸の左側面図である。
【図３】図１に示す箸を平坦な面上に載置した状態を示す図である。
【図４】本考案の箸の他の例を、図２に対応させて示す左側面図である。
【符号の説明】
【００１４】
１    箸
２    頭部
３    箸先部
４    上端
５    中間点
６    下端
７    箸の軸線
８    断面形状が正五角形である立体形状
９    箸載置用の平面
１０    上端の端面
２０    平坦な面
３０    上端の端面
３１    断面形状が正方形である立体形状
３２    箸載置用の平面
【図１】
0003136973.tif 000003
【図２】
0003136973.tif 000004
【図３】
0003136973.tif 000005
【図４】
0003136973.tif 000006